(57)【要約】【課題】複数の表示部を備える場合に、各表示部間を接続する信号線の本数が増加するのを抑制することが可能な表示装置を提供する。【解決手段】この液晶表示装置（表示装置）は、メインディスプレイ１３と、サブディスプレイ２２と、駆動ＩＣ１２と、駆動ＩＣ１２から出力された画像信号Ｒ１〜Ｒ２４０をドット１３ａに供給するとともに、駆動ＩＣ１２から出力された画像信号Ｓ１〜Ｓ２４０をサブディスプレイ２２に供給する信号線４１と、信号線４１を介して供給された画像信号Ｓ１〜Ｓ２４０を時分割により切り替えるＨＳＷ２４と、ＨＳＷ２４により切り替えられた画像信号Ｒ１〜Ｒ２４０、Ｇ１〜Ｇ２４０およびＢ１〜Ｂ２４０をドット２２ａに供給するための信号線４８、４９および５０とを備えている。【選択図】図１
2008116519.tif 000002
【特許請求の範囲】
【請求項１】
第１表示部と、
第２表示部と、
前記第１表示部および前記第２表示部を駆動する１つの駆動回路と、
前記駆動回路から出力された信号を前記第１表示部に供給するとともに、一部が前記駆動回路から出力された信号を前記第２表示部に供給するための信号線としても機能する複数の第１信号線と、
前記第２表示部側に設けられ、前記第１信号線の一部を介して供給された前記第２表示部用の信号を時分割により切り替える第１スイッチ回路と、
前記第１スイッチ回路により切り替えられた前記第２表示部用の信号を前記第２表示部に供給するための複数の第２信号線とを備える、表示装置。
【請求項２】
前記第１表示部と前記第２表示部とを電気的に接続するための配線基板をさらに備え、
前記配線基板は、前記第１信号線の一部を介して供給された前記第２表示部用の信号を前記第１スイッチ回路に供給するための複数の第３信号線を含む、請求項１に記載の表示装置。
【請求項３】
前記第１表示部側に設けられ、前記駆動回路から出力された信号を時分割により切り替えて前記第１信号線に供給する第２スイッチ回路をさらに備える、請求項１または２に記載の表示装置。
【請求項４】
前記第２表示部側の第１スイッチ回路の時分割による分割後の信号の数と、前記第１表示部側の第２スイッチ回路の時分割による分割後の信号の数とは同じである、請求項３に記載の表示装置。
【請求項５】
前記第１スイッチ回路を制御するための信号を前記駆動回路から前記第１スイッチ回路に供給するための複数の第４信号線と、前記第２スイッチ回路を制御するための信号を前記駆動回路から前記第２スイッチ回路に供給するための複数の第５信号線とをさらに備える、請求項３または４に記載の表示装置。
【請求項６】
前記駆動回路は、前記第２表示部を表示させる際には、前記第２表示部用の信号を前記第１表示部側の第２スイッチ回路により前記第１信号線の一部に供給するとともに、前記第１信号線の一部を介して供給された前記第２表示部用の信号を前記第２表示部側の第１スイッチ回路により切り替えて前記第２信号線に供給するように制御する、請求項３〜５のいずれか１項に記載の表示装置。
【請求項７】
前記駆動回路は、前記第１表示部を表示させる際には、前記第１表示部用の信号を前記第１表示部側の第２スイッチ回路により切り替えて前記第１信号線に供給するとともに、前記第２表示部側の第１スイッチ回路をオフ状態にするように制御する、請求項３〜６のいずれか１項に記載の表示装置。
【請求項８】
前記駆動回路は、前記第１表示部および前記第２表示部を表示させる際には、前記第２表示部用の信号を前記第１表示部側の第２スイッチ回路により前記第１信号線の一部に供給するとともに、前記第１信号線の一部を介して供給された前記第２表示部用の信号を前記第２表示部側の第１スイッチ回路により切り替えて前記第２信号線に供給する動作と、前記第１表示部用の信号を前記第１表示部側の第２スイッチ回路により切り替えて前記第１信号線に供給するとともに、前記第２表示部側の第１スイッチ回路をオフ状態にする動作とを交互に繰り返し行うように制御する、請求項３〜７のいずれか１項に記載の表示装置。
【請求項９】
前記第１表示部が設けられた第１基板と、
前記第２表示部が設けられた第２基板とをさらに備え、
前記第１基板には、さらに前記駆動回路が配置されている、請求項１〜８のいずれか１項に記載の表示装置。
【発明の詳細な説明】
【技術分野】
【０００１】
本発明は、表示装置に関し、特に、複数の表示部を備えた表示装置に関する。
【背景技術】
【０００２】
従来、２つの表示部を備えた表示装置が知られている（たとえば、特許文献１参照）。
【０００３】
上記特許文献１には、メインディスプレイ（第１表示部）と、サブディスプレイ（第２表示部）と、駆動ＩＣ（駆動回路）と、メインディスプレイとサブディスプレイとを電気的に接続するための配線基板とを備えた液晶装置（表示装置）が開示されている。この特許文献１に開示された液晶装置の配線基板には、駆動ＩＣからメインディスプレイを介してサブディスプレイに画像信号を供給するための配線が設けられている。
【０００４】
【特許文献１】特開２００６−３１０３４号公報
【発明の開示】
【発明が解決しようとする課題】
【０００５】
しかしながら、上記特許文献１に開示された従来の液晶装置では、サブディスプレイの画素数に応じて配線基板に配線が形成されるので、サブディスプレイの画素数が多い場合に、配線基板に形成される配線の本数が多くなるという不都合がある。これにより、配線基板に形成される配線間の間隔が小さくなるので、配線基板に配線を形成するのが困難になるという問題点がある。
【０００６】
この発明は、上記のような課題を解決するためになされたものであり、この発明の１つの目的は、複数の表示部を備える場合に、各表示部間を接続する信号線の本数が増加するのを抑制することが可能な表示装置を提供することである。
【課題を解決するための手段および発明の効果】
【０００７】
上記目的を達成するために、この発明の一の局面における表示装置は、第１表示部と、第２表示部と、第１表示部および第２表示部を駆動する１つの駆動回路と、駆動回路から出力された信号を第１表示部に供給するとともに、一部が駆動回路から出力された信号を第２表示部に供給するための信号線としても機能する複数の第１信号線と、第２表示部側に設けられ、第１信号線の一部を介して供給された第２表示部用の信号を時分割により切り替える第１スイッチ回路と、第１スイッチ回路により切り替えられた第２表示部用の信号を第２表示部に供給するための複数の第２信号線とを備える。
【０００８】
この発明の一の局面による表示装置では、上記のように、一部が駆動回路から出力された信号を第２表示部に供給するための信号線としても機能する複数の第１信号線と、第２表示部側に設けられ、第１信号線の一部を介して供給された第２表示部用の信号を時分割により切り替える第１スイッチ回路と、第１スイッチ回路により切り替えられた第２表示部用の信号を第２表示部に供給するための複数の第２信号線とを設けることによって、第２表示部側の時分割機能を有する第１スイッチ回路により、第２表示部側に信号を供給する第１表示部側の第１信号線の一部の本数を、第２表示部側の第２信号線の本数に比べて少なくすることができる。これにより、第２表示部の画素数が多い場合にも、第１表示部と第２表示部とを接続する信号線の本数が増加するのを抑制することができる。
【０００９】
上記一の局面による表示装置において、好ましくは、第１表示部と第２表示部とを電気的に接続するための配線基板をさらに備え、配線基板は、第１信号線の一部を介して供給された第２表示部用の信号を第１スイッチ回路に供給するための複数の第３信号線を含む。このように構成すれば、第１スイッチ回路により、第１表示部と第２表示部とを接続する配線基板の第３信号線の本数を少なくすることができるので、第２表示部の画素数が多い場合にも、配線基板の第３信号線間の間隔が小さくなるのを抑制することができる。その結果、配線基板に第３信号線を形成するのが困難になるという不都合が発生するのを抑制することができる。
【００１０】
上記一の局面による表示装置において、好ましくは、第１表示部側に設けられ、駆動回路から出力された信号を時分割により切り替えて第１信号線に供給する第２スイッチ回路をさらに備える。このように構成すれば、第１表示部側の時分割機能を有する第２スイッチ回路により、駆動回路から出力された信号を第１表示部に供給するための信号線の本数を少なくすることができる。
【００１１】
上記第１表示部が第２スイッチ回路を含む構成において、好ましくは、第２表示部側の第１スイッチ回路の時分割による分割後の信号の数と、第１表示部側の第２スイッチ回路の時分割による分割後の信号の数とは同じである。このように構成すれば、第１スイッチ回路および第２スイッチ回路として同じスイッチ回路を用いることができるので、第１スイッチ回路および第２スイッチ回路を制御する方法を共通化することができる。これにより、第１スイッチ回路および第２スイッチ回路を制御する駆動回路の回路構成を簡単化することができる。
【００１２】
上記第１表示部が第２スイッチ回路を含む構成において、好ましくは、第１スイッチ回路を制御するための信号を駆動回路から第１スイッチ回路に供給するための複数の第４信号線と、第２スイッチ回路を制御するための信号を駆動回路から第２スイッチ回路に供給するための複数の第５信号線とをさらに備える。このように構成すれば、駆動回路により、容易に、第１スイッチ回路および第２スイッチ回路を制御することができる。
【００１３】
上記第１表示部が第２スイッチ回路を含む構成において、好ましくは、駆動回路は、第２表示部を表示させる際には、第２表示部用の信号を第１表示部側の第２スイッチ回路により第１信号線の一部に供給するとともに、第１信号線の一部を介して供給された第２表示部用の信号を第２表示部側の第１スイッチ回路により切り替えて第２信号線に供給するように制御する。このように構成すれば、駆動回路により、容易に、第２表示部用の信号を第２信号線に供給することができるので、第２表示部を容易に駆動することができる。
【００１４】
上記第１表示部が第２スイッチ回路を含む構成において、好ましくは、駆動回路は、第１表示部を表示させる際には、第１表示部用の信号を第１表示部側の第２スイッチ回路により切り替えて第１信号線に供給するとともに、第２表示部側の第１スイッチ回路をオフ状態にするように制御する。このように構成すれば、駆動回路により、容易に、第１表示部用の信号を第１信号線のみに供給することができるので、第１表示部のみを容易に駆動することができる。
【００１５】
上記第１表示部が第２スイッチ回路を含む構成において、好ましくは、駆動回路は、第１表示部および第２表示部を表示させる際には、第２表示部用の信号を第１表示部側の第２スイッチ回路により第１信号線の一部に供給するとともに、第１信号線の一部を介して供給された第２表示部用の信号を第２表示部側の第１スイッチ回路により切り替えて第２信号線に供給する動作と、第１表示部用の信号を第１表示部側の第２スイッチ回路により切り替えて第１信号線に供給するとともに、第２表示部側の第１スイッチ回路をオフ状態にする動作とを交互に繰り返し行うように制御する。このように構成すれば、第１信号線に第１表示部用の信号を供給するとともに、第２信号線に第２表示部用の信号を供給することができるので、第１表示部および第２表示部の両方を駆動することができる。
【００１６】
上記一の局面による表示装置において、好ましくは、第１表示部が設けられた第１基板と、第２表示部が設けられた第２基板とをさらに備え、第１基板には、さらに駆動回路が配置されている。このように構成すれば、駆動回路から第１表示部に信号を供給するための信号線を短くすることができるとともに、表示装置の小型化を図ることができる。
【発明を実施するための最良の形態】
【００１７】
以下、本発明の実施形態を図面に基づいて説明する。
【００１８】
（第１実施形態）
図１は、本発明の第１実施形態による液晶表示装置の構成を示した回路図である。まず、図１を参照して、本発明の第１実施形態による液晶表示装置の構成について説明する。なお、この第１実施形態では、表示装置の一例である液晶表示装置に本発明を適用した場合について説明する。
【００１９】
この第１実施形態による液晶表示装置は、図１に示すように、メイン基板１０と、サブ基板２０とを備えている。また、メイン基板１０とサブ基板２０とは、ＦＰＣ（フレキシブルプリント配線板）３０を介して電気的に接続されている。なお、メイン基板１０およびサブ基板２０は、それぞれ、本発明の「第１基板」および「第２基板」の一例であり、ＦＰＣ３０は、本発明の「配線基板」の一例である。
【００２０】
メイン基板１０上には、駆動ＩＣ１２と、ドット１３ａがマトリクス状に配置されたメインディスプレイ１３と、メインディスプレイ１３の一辺に沿って配置され、メインディスプレイ１３のゲート線を駆動（走査）するためのＶスキャナ（垂直スキャナ）１４と、メインディスプレイ１３の一辺と実質的に直交する辺に沿って配置され、メインディスプレイ１３の信号線４１、４２および４３が接続されたＨＳＷ（水平スイッチ）１５と、後述する液晶１３ｅに印加される電圧を制御するためのＣＯＭ１６とが設けられている。また、駆動ＩＣ１２は、チップ・オン・グラス方式により、メイン基板１０に設けられている。なお、駆動ＩＣ１２は、本発明の「駆動回路」の一例であり、メインディスプレイ１３は、本発明の「第１表示部」の一例である。また、ＨＳＷ１５は、本発明の「第２スイッチ回路」の一例であり、信号線４１、４２および４３は、本発明の「第１信号線」の一例である。
【００２１】
また、メインディスプレイ１３の各ドット１３ａは、ソース／ドレインの一方が信号線４１、４２または４３に接続されるとともに、ゲートがゲート線に接続されたｎ型のトランジスタ１３ｂ、画素電極１３ｃ、画素電極１３ｃに対向配置された各ドット１３ａに共通の対向電極１３ｄ、画素電極１３ｃと対向電極１３ｄとの間に挟持された液晶１３ｅ、および、補助容量１３ｆによって構成されている。また、トランジスタ１３ｂのソース／ドレインの他方は、画素電極１３ｃと、補助容量１３ｆの一方の電極とに接続されている。このトランジスタ１３ｂは、５００℃程度の低温状況下において形成された多結晶シリコン（ポリシリコン）（以下、「低温ポリシリコン」という）からなる能動層を有するＴＦＴ（薄膜トランジスタ）によって構成されている。
【００２２】
また、ドット１３ａのうち、カラーフィルタ（図示せず）により赤色（Ｒ）を発光可能に構成されたドット１３１ａと、カラーフィルタ（図示せず）により緑色（Ｇ）を発光可能に構成されたドット１３２ａと、カラーフィルタ（図示せず）により青色（Ｂ）を発光可能に構成されたドット１３３ａとにより１つの画素１３４ａが構成されている。また、ドット１３１ａ、１３２ａおよび１３３ａは、それぞれ、信号線４１、４２および４３に接続されている。なお、メインディスプレイ１３には、３２０×２４０個の画素１３４ａが配置されている。これにより、Ｖスキャナ１４には、３２０本のゲート線が接続されるとともに、ＨＳＷ１５には、信号線４１、４２および４３がそれぞれ２４０本接続されている。
【００２３】
ここで、第１実施形態では、メイン基板１０に設けられたＨＳＷ１５は、信号線４４から供給された信号を時分割により分割するとともに、その分割された信号を信号線４１、４２または４３に切り替えて供給するために設けられている。また、ＨＳＷ１５は、２４０個のスイッチ１５ａを有する。このスイッチ１５ａは、低温ポリシリコンからなる能動層を有するＴＦＴによって構成されたｎ型のトランジスタ１５ｂ、１５ｃおよび１５ｄを含んでいる。また、トランジスタ１５ｂ、１５ｃおよび１５ｄは、ソース／ドレインの一方がそれぞれ信号線４１、４２および４３に接続されているとともに、ソース／ドレインの他方が信号線４４に接続されている。また、トランジスタ１５ｂ、１５ｃおよび１５ｄのゲートには、それぞれ、信号線４５、４６および４７が接続されている。また、スイッチ１５ａは、トランジスタ１５ｂ、１５ｃおよび１５ｄのうちいずれか１つのトランジスタ１５ｂ、１５ｃまたは１５ｄのみがオン状態になるように構成されている。具体的には、メインディスプレイ１３が駆動される場合に、スイッチ１５ａのトランジスタ１５ｂ、１５ｃおよび１５ｄが順にオン状態になるとともに、後述するサブディスプレイ２２が駆動される場合に、スイッチ１５ａのトランジスタ１５ｂのみがオン状態になるように構成されている。なお、信号線４５、４６および４７は、本発明の「第５信号線」の一例である。
【００２４】
また、メイン基板１０に設けられたＣＯＭ１６は、対向電極１３ｄの電位を制御することによって、たとえば１フレーム毎に画素電極１３ｃと対向電極１３ｄとの間の液晶１３ｅに印加される電圧を反転させるために設けられている。
【００２５】
サブ基板２０上には、ドット２２ａがマトリクス状に配置されたサブディスプレイ２２と、サブディスプレイ２２の一辺に沿って配置され、サブディスプレイ２２のゲート線を駆動（走査）するためのＶスキャナ（垂直スキャナ）２３と、サブディスプレイ２２の一辺と実質的に直交する辺に沿って配置され、サブディスプレイ２２の信号線４８、４９および５０が接続されたＨＳＷ（水平スイッチ）２４と、後述する液晶２２ｅに印加される電圧を制御するためのＣＯＭ２５とが設けられている。なお、サブディスプレイ２２は、本発明の「第２表示部」の一例であり、ＨＳＷ２４は、本発明の「第１スイッチ回路」の一例である。また、信号線４８、４９および５０は、本発明の「第２信号線」の一例である。
【００２６】
また、サブディスプレイ２２の各ドット２２ａは、ソース／ドレインの一方が信号線４８、４９または５０に接続されるとともに、ゲートがゲート線に接続されたｎ型のトランジスタ２２ｂ、画素電極２２ｃ、画素電極２２ｃに対向配置された各ドット２２ａに共通の対向電極２２ｄ、画素電極２２ｃと対向電極２２ｄとの間に挟持された液晶２２ｅ、および、補助容量２２ｆによって構成されている。また、トランジスタ２２ｂのソース／ドレインの他方は、画素電極２２ｃと、補助容量２２ｆの一方の電極とに接続されている。このトランジスタ２２ｂは、低温ポリシリコンからなる能動層を有するＴＦＴによって構成されている。
【００２７】
また、ドット２２ａのうち、カラーフィルタ（図示せず）により赤色（Ｒ）を発光可能に構成されたドット２２１ａと、カラーフィルタ（図示せず）により緑色（Ｇ）を発光可能に構成されたドット２２２ａと、カラーフィルタ（図示せず）により青色（Ｂ）を発光可能に構成されたドット２２３ａとにより１つの画素２２４ａが構成されている。また、ドット２２１ａ、２２２ａおよび２２３ａは、それぞれ、信号線４８、４９および５０に接続されている。なお、メインディスプレイ２２には、３２０×２４０個の画素２２４ａが配置されている。これにより、Ｖスキャナ２３には、３２０本のゲート線が接続されるとともに、ＨＳＷ２４には、信号線４８、４９および５０がそれぞれ２４０本接続されている。
【００２８】
ここで、第１実施形態では、サブ基板２０に設けられたＨＳＷ２４は、信号線５１から供給された信号を時分割により分割するとともに、その分割された信号を信号線４８、４９または５０に切り替えて供給するために設けられている。また、ＨＳＷ２４は、２４０個のスイッチ２４ａを有する。このスイッチ２４ａは、低温ポリシリコンからなる能動層を有するＴＦＴによって構成されたｎ型のトランジスタ２４ｂ、２４ｃおよび２４ｄを含んでいる。また、トランジスタ２４ｂ、２４ｃおよび２４ｄは、ソース／ドレインの一方がそれぞれ信号線４８、４９および５０に接続されているとともに、ソース／ドレインの他方が信号線５１に接続されている。また、トランジスタ２４ｂ、２４ｃおよび２４ｄのゲートには、それぞれ、信号線５２、５３および５４が接続されている。また、スイッチ２４ａは、サブディスプレイ２２が駆動される場合に、トランジスタ２４ｂ、２４ｃおよび２４ｄが順にオン状態になるとともに、メインディスプレイ１３が駆動される場合に、トランジスタ２４ｂ、２４ｃおよび２４ｄが全てオフ状態になるように構成されている。なお、信号線５２、５３および５４は、本発明の「第４信号線」の一例である。
【００２９】
また、サブ基板２０に設けられたＣＯＭ２５は、対向電極２２ｄの電位を制御することによって、たとえば１フレーム毎に画素電極２２ｃと対向電極２２ｄとの間の液晶２２ｅに印加される電圧を反転させるために設けられている。
【００３０】
また、第１実施形態では、ＦＰＣ３０には、信号線４１と信号線５１とを接続するための信号線３０ａが２４０本形成されている。なお、信号線３０ａは、本発明の「第３信号線」の一例である。
【００３１】
また、第１実施形態では、メイン基板１０に設けられた駆動ＩＣ１２は、Ｖスキャナ１４を制御するためのスタート信号ＳＴＶＭ、クロック信号ＣＫＶＭ、イネーブル信号ＶＥＮＢＭおよび走査方向切替信号ＣＳＶＭと、Ｖスキャナ２３を制御するためのスタート信号ＳＴＶＳ、クロック信号ＣＫＶＳ、イネーブル信号ＶＥＮＢＳおよび走査方向切替信号ＣＳＶＳと、ＨＳＷ１５を制御するためのイネーブル信号ＲＥＮＢＭ、ＧＥＮＢＭおよびＢＥＮＢＭと、ＨＳＷ２４を制御するためのイネーブル信号ＲＥＮＢＳ、ＧＥＮＢＳおよびＢＥＮＢＳと、ＣＯＭ１６を制御するための制御信号ＶＣＯＭＡＣＭと、ＣＯＭ２５を制御するための制御信号ＶＣＯＭＡＣＳと、メインディスプレイ１３またはサブディスプレイ２２を制御するための画像信号Ｓ１〜Ｓ２４０とを出力する機能を有する。なお、この画像信号Ｓ１〜Ｓ２４０は、画像信号Ｒ１〜Ｒ２４０、Ｇ１〜Ｇ２４０およびＢ１〜Ｂ２４０を有するとともに、メインディスプレイ１３を駆動する場合には、ＨＳＷ１５により時分割されることによって、画像信号Ｒ１〜Ｒ２４０、Ｇ１〜Ｇ２４０およびＢ１〜Ｂ２４０がそれぞれ信号線４１、４２および４３に供給されるように構成されている。また、画像信号Ｓ１〜Ｓ２４０は、サブディスプレイ２２を駆動する場合には、ＨＳＷ２４により時分割されることによって、画像信号Ｒ１〜Ｒ２４０、Ｇ１〜Ｇ２４０およびＢ１〜Ｂ２４０がそれぞれ信号線４８、４９および５０に供給されるように構成されている。この点については、後に詳細に説明する。
【００３２】
また、駆動ＩＣ１２は、メインディスプレイ１３を駆動する際に、スタート信号ＳＴＶＭ、クロック信号ＣＫＶＭおよびイネーブル信号ＶＥＮＢＭをＶスキャナ１４に信号線５５を介して供給するように構成されている。具体的には、駆動ＩＣ１２は、メインディスプレイ１３を駆動する際に、Ｖスキャナ１４に接続された３２０本のゲート線を順に駆動することによって、各ゲート線に接続された７２０個のトランジスタ１３ｂを順次オン状態にするように構成されている。なお、図１では、簡略化のため、スタート信号ＳＴＶＭ、クロック信号ＣＫＶＭ、イネーブル信号ＶＥＮＢＭおよび走査方向切替信号ＣＳＶＭ用の信号線として、１本の信号線５５のみを示したが、実際には、スタート信号ＳＴＶＭ、クロック信号ＣＫＶＭ、イネーブル信号ＶＥＮＢＭおよび走査方向切替信号ＣＳＶＭがそれぞれ供給される４本の信号線５５が設けられている。
【００３３】
また、駆動ＩＣ１２は、サブディスプレイ２２を駆動する際に、スタート信号ＳＴＶＳ、クロック信号ＣＫＶＳおよびイネーブル信号ＶＥＮＢＳをＶスキャナ２３に信号線５６を介して供給するように構成されている。具体的には、駆動ＩＣ１２は、サブディスプレイ２２を駆動する際に、Ｖスキャナ２３に接続された３２０本のゲート線を順に駆動することによって、各ゲート線に接続された７２０個のトランジスタ２２ｂを順次オン状態にするように構成されている。なお、図１では、簡略化のため、スタート信号ＳＴＶＳ、クロック信号ＣＫＶＳ、イネーブル信号ＶＥＮＢＳおよび走査方向切替信号ＣＳＶＳ用の信号線として、１本の信号線５６のみを示したが、実際には、スタート信号ＳＴＶＳ、クロック信号ＣＫＶＳ、イネーブル信号ＶＥＮＢＳおよび走査方向切替信号ＣＳＶＳがそれぞれ供給される４本の信号線５６が設けられている。
【００３４】
また、第１実施形態では、イネーブル信号ＲＥＮＢＭ、ＧＥＮＢＭおよびＢＥＮＢＭは、それぞれ、信号線４５、４６および４７を介してＨＳＷ１５のトランジスタ１５ｂ、１５ｃおよび１５ｄのゲートに供給されるように構成されている。具体的には、駆動ＩＣ１２は、メインディスプレイ１３を駆動する際に、Ｈレベルのイネーブル信号ＲＥＮＢＭ、ＧＥＮＢＭおよびＢＥＮＢＭを順に信号線４５、４６および４７に供給することによって、トランジスタ１５ｂ、１５ｃおよび１５ｄを順に１つずつオン状態にするように構成されている。また、駆動ＩＣ１２は、サブディスプレイ２２を駆動する際に、Ｈレベルのイネーブル信号ＲＥＮＢＭを信号線４５に供給するとともに、Ｌレベルのイネーブル信号ＧＥＮＢＭおよびＢＥＮＢＭを信号線４６および４７に供給することによって、トランジスタ１５ｂのみをオン状態にするように構成されている。
【００３５】
また、第１実施形態では、イネーブル信号ＲＥＮＢＳ、ＧＥＮＢＳおよびＢＥＮＢＳは、それぞれ、信号線５２、５３および５４を介してＨＳＷ２４のトランジスタ２４ｂ、２４ｃおよび２４ｄのゲートに供給されるように構成されている。具体的には、駆動ＩＣ１２は、サブディスプレイ２２を駆動する際に、Ｈレベルのイネーブル信号ＲＥＮＢＳ、ＧＥＮＢＳおよびＢＥＮＢＳを順に信号線５２、５３および５４に供給することによって、トランジスタ２４ｂ、２４ｃおよび２４ｄを順に１つずつオン状態にするように構成されている。また、駆動ＩＣ１２は、メインディスプレイ１３を駆動する際に、Ｌレベルのイネーブル信号ＲＥＮＢＳ、ＧＥＮＢＳおよびＢＥＮＢＳを信号線５２、５３および５４に供給することによって、トランジスタ２４ｂ、２４ｃおよび２４ｄを全てオフ状態にするように構成されている。
【００３６】
また、駆動ＩＣ１２は、メインディスプレイ１３を表示する際に、信号線５７を介してＣＯＭ１６にパルス状の制御信号ＶＣＯＭＡＣＭを供給するとともに、サブディスプレイ２２を表示する際に、信号線５８を介してＣＯＭ２５にパルス状の制御信号ＶＣＯＭＡＣＳを供給するように構成されている。
【００３７】
また、駆動ＩＣ１２は、ドット１３１ａを駆動する場合に、信号線４４、トランジスタ１５ｂおよび信号線４１を介して、ドット１３１ａの画素電極１３ｃに赤色に対応する画像信号Ｒ１〜Ｒ２４０を供給し、ドット１３２ａを駆動する場合に、信号線４４、トランジスタ１５ｃおよび信号線４２を介して、ドット１３２ａの画素電極１３ｃに緑色に対応する画像信号Ｇ１〜Ｇ２４０を供給し、ドット１３３ａを駆動する場合に、信号線４４、トランジスタ１５ｄおよび信号線４３を介して、ドット１３３ａの画素電極１３ｃに青色に対応する画像信号Ｂ１〜Ｂ２４０を供給するように構成されている。
【００３８】
また、駆動ＩＣ１２は、ドット２２１ａを駆動する場合に、信号線４４、トランジスタ１５ｂ、信号線４１、３０ａ、５１、トランジスタ２４ｂおよび信号線４８を介して、ドット２２１ａの画素電極２２ｃに赤色に対応する画像信号Ｒ１〜Ｒ２４０を供給し、ドット２２２ａを駆動する場合に、信号線４４、トランジスタ１５ｂ、信号線４１、３０ａ、５１、トランジスタ２４ｃおよび信号線４９を介して、ドット２２２ａの画素電極２２ｃに緑色に対応する画像信号Ｇ１〜Ｇ２４０を供給し、ドット２２３ａを駆動する場合に、信号線４４、トランジスタ１５ｂ、信号線４１、３０ａ、５１、トランジスタ２４ｄおよび信号線５０を介して、ドット２２３ａの画素電極１３ｃに青色に対応する画像信号Ｂ１〜Ｂ２４０を供給するように構成されている。
【００３９】
図２〜図４は、本発明の第１実施形態による液晶表示装置の表示動作について説明するための図である。次に、図１〜図４を参照して、本発明の第１実施形態による液晶表示装置の表示動作について説明する。
【００４０】
まず、メインディスプレイ１３のみを表示させる場合には、図１および図２に示すように、Ｌレベルのイネーブル信号ＲＥＮＢＳ、ＧＥＮＢＳおよびＢＥＮＢＳが信号線５２、５３および５４に供給される。これにより、サブディスプレイ２２用のＨＳＷ２４のトランジスタ２４ｂ、２４ｃおよび２４ｄがオフ状態になるので、サブディスプレイ２２のドット２２ａには、画像信号Ｓ１〜Ｓ２４０が供給されない。また、サブディスプレイ２２用のＶスキャナ２３には、駆動信号としてのスタート信号ＳＴＶＳ、クロック信号ＣＫＶＳおよびイネーブル信号ＶＥＮＢＳは供給されない。これにより、Ｖスキャナ２３は駆動されないので、サブディスプレイ２２のゲート線は駆動されない。なお、サブディスプレイ２２用のＣＯＭ２５には、パルス状の制御信号ＶＣＯＭＡＣＳは供給されない。
【００４１】
その一方、メインディスプレイ１３用のＶスキャナ１４には、駆動信号としてのスタート信号ＳＴＶＭ、クロック信号ＣＫＶＭおよびイネーブル信号ＶＥＮＢＭが供給される。これにより、Ｖスキャナ１４が駆動されるので、メインディスプレイ１３のゲート線が順に駆動される。また、Ｈレベルのイネーブル信号ＲＥＮＢＭ、ＧＥＮＢＭおよびＢＥＮＢＭが順に信号線４５、４６および４７に供給されるので、メインディスプレイ１３用のＨＳＷ１５のトランジスタ１５ｂ、１５ｃおよび１５ｄが順にオン状態になる。なお、メインディスプレイ１３用のＣＯＭ１６には、パルス状の制御信号ＶＣＯＭＡＣＭが供給される。
【００４２】
具体的には、Ｖスキャナ１４に接続された３２０本のゲート線に順にＨレベルの信号が供給されることにより、Ｈレベルの信号が供給されたゲート線に接続された７２０個のドット１３ａのトランジスタ１３ｂがオン状態になる。このとき、イネーブル信号ＲＥＮＢＭ、ＧＥＮＢＭおよびＢＥＮＢＭにより、トランジスタ１５ｂ、１５ｃおよび１５ｄが順にオン状態になる。また、トランジスタ１５ｂがオン状態の場合には、画像信号Ｒ１〜Ｒ２４０が出力され、トランジスタ１５ｃがオン状態の場合には、画像信号Ｇ１〜Ｇ２４０が出力され、トランジスタ１５ｄがオン状態の場合には、画像信号Ｂ１〜Ｂ２４０が出力される。
【００４３】
したがって、画像信号Ｒ１〜Ｒ２４０が信号線４４、トランジスタ１５ｂ、信号線４１およびトランジスタ１３ｂを介してドット１３１ａの画素電極１３ｃに供給されることによって、Ｈレベルの信号が供給されたゲート線に接続されたドット１３１ａに画像信号Ｒ１〜Ｒ２４０の書き込みが行われる。また、画像信号Ｇ１〜Ｇ２４０が信号線４４、トランジスタ１５ｃ、信号線４２およびトランジスタ１３ｂを介してドット１３２ａの画素電極１３ｃに供給されることによって、Ｈレベルの信号が供給されたゲート線に接続されたドット１３２ａに画像信号Ｇ１〜Ｇ２４０の書き込みが行われる。また、画像信号Ｂ１〜Ｂ２４０が信号線４４、トランジスタ１５ｄ、信号線４３およびトランジスタ１３ｂを介してドット１３３ａの画素電極１３ｃに供給されることによって、Ｈレベルの信号が供給されたゲート線に接続されたドット１３３ａに画像信号Ｂ１〜Ｂ２４０の書き込みが行われる。
【００４４】
次に、サブディスプレイ２２のみを表示させる場合には、図１および図３に示すように、Ｈレベルのイネーブル信号ＲＥＮＢＭが信号線４５に供給されるとともに、Ｌレベルのイネーブル信号ＧＥＮＢＭおよびＢＥＮＢＭが供給される。これにより、メインディスプレイ１３用のＨＳＷ１５のトランジスタ１５ｂがオン状態になるとともに、トランジスタ１５ｃおよび１５ｄがオフ状態になるので、信号線４４、トランジスタ１５ｂ、信号線４１、３０ａおよび５１を介してＨＳＷ２４に画像信号Ｓ１〜Ｓ２４０が供給される。また、メインディスプレイ１３用のＶスキャナ１４には、スタート信号ＳＴＶＭ、クロック信号ＣＫＶＭおよびイネーブル信号ＶＥＮＢＭは供給されない。これにより、Ｖスキャナ１４は駆動されないので、メインディスプレイ１３のゲート線は駆動されない。なお、メインディスプレイ１３用のＣＯＭ１６には、パルス状の制御信号ＶＣＯＭＡＣＭが供給されない。
【００４５】
その一方、サブディスプレイ２２用のＶスキャナ２３には、スタート信号ＳＴＶＳ、クロック信号ＣＫＶＳおよびイネーブル信号ＶＥＮＢＳが供給される。これにより、Ｖスキャナ２３が駆動されるので、サブディスプレイ２２のゲート線が順に駆動される。また、Ｈレベルのイネーブル信号ＲＥＮＢＳ、ＧＥＮＢＳおよびＢＥＮＢＳが順に信号線５２、５３および５４に供給されるので、サブディスプレイ２２用のＨＳＷ２４のトランジスタ２４ｂ、２４ｃおよび２４ｄが順にオン状態になる。なお、ＣＯＭ２５には、サブディスプレイ２２用のパルス状の制御信号ＶＣＯＭＡＣＳが供給される。
【００４６】
具体的には、Ｖスキャナ２３に接続された３２０本のゲート線に順にＨレベルの信号が供給されることにより、Ｈレベルの信号が供給されたゲート線に接続された７２０個のドット２２ａのトランジスタ２２ｂがオン状態になる。このとき、イネーブル信号ＲＥＮＢＳ、ＧＥＮＢＳおよびＢＥＮＢＳにより、トランジスタ２４ｂ、２４ｃおよび２４ｄが順にオン状態になる。また、トランジスタ２４ｂがオン状態の場合には、画像信号Ｒ１〜Ｒ２４０が出力され、トランジスタ２４ｃがオン状態の場合には、画像信号Ｇ１〜Ｇ２４０が出力され、トランジスタ２４ｄがオン状態の場合には、画像信号Ｂ１〜Ｂ２４０が出力される。
【００４７】
したがって、画像信号Ｒ１〜Ｒ２４０が信号線４４、トランジスタ１５ｂ、信号線４１、３０ａ、５１、トランジスタ２４ｂ、信号線４８およびトランジスタ２２ｂを介してドット２２１ａの画素電極２２ｃに供給されることによって、Ｈレベルの信号が供給されたゲート線に接続されたドット２２１ａに画像信号Ｒ１〜Ｒ２４０の書き込みが行われる。また、画像信号Ｇ１〜Ｇ２４０が信号線４４、トランジスタ１５ｂ、信号線４１、３０ａ、５１、トランジスタ２４ｃ、信号線４９およびトランジスタ２２ｂを介してドット２２２ａの画素電極２２ｃに供給されることによって、Ｈレベルの信号が供給されたゲート線に接続されたドット２２２ａに画像信号Ｇ１〜Ｇ２４０の書き込みが行われる。また、画像信号Ｂ１〜Ｂ２４０が信号線４４、トランジスタ１５ｂ、信号線４１、３０ａ、５１、トランジスタ２４ｄ、信号線５０およびトランジスタ２２ｂを介してドット２２３ａの画素電極２２ｃに供給されることによって、Ｈレベルの信号が供給されたゲート線に接続されたドット２２３ａに画像信号Ｂ１〜Ｂ２４０の書き込みが行われる。
【００４８】
また、メインディスプレイ１３およびサブディスプレイ２２の両方を表示させる場合には、図１および図４に示すように、上記したメインディスプレイ１３のみを表示させる動作と、サブディスプレイ２２のみを表示させる動作とが交互に繰り返し行われる。なお、この場合、メインディスプレイ１３を表示させる動作を行っている場合にも、ＣＯＭ２５にパルス状の制御信号ＶＣＯＭＡＣＳが供給されるとともに、サブディスプレイ２２を表示させる動作を行っている場合にも、ＣＯＭ１６にパルス状の制御信号ＶＣＯＭＡＣＭが供給される。これにより、メインディスプレイ１３のドット１３ａに書き込みが行われている間にもサブディスプレイ２２の表示を維持するとともに、サブディスプレイ２２のドット２２ａに書き込みが行われている間にもメインディスプレイ１３の表示を維持することが可能である。この場合、メインディスプレイ１３に対する書き込みと、サブディスプレイ２２に対する書き込みとを１／１２０秒毎に交互に繰り返すようにすれば、メインディスプレイ１３およびサブディスプレイ２２が共に常時表示されているように使用者に認識させることが可能である。
【００４９】
第１実施形態では、上記のように、駆動ＩＣ１２から出力された画像信号Ｓ１〜Ｓ２４０をサブディスプレイ２２に供給するための信号線としても機能する信号線４１と、信号線４１を介して供給された画像信号Ｓ１〜Ｓ２４０を時分割により切り替えるＨＳＷ２４と、ＨＳＷ２４により切り替えられた画像信号Ｒ１〜Ｒ２４０、Ｇ１〜Ｇ２４０およびＢ１〜Ｂ２４０をサブディスプレイ２２に供給するための信号線４８、４９および５０と、メインディスプレイ１３とサブディスプレイ２２とを電気的に接続するためのＦＰＣ３０とを設けるとともに、ＦＰＣ３０を、信号線４１から供給された画像信号Ｓ１〜Ｓ２４０をＨＳＷ２４に供給するための信号線３０ａを含むように構成することによって、時分割機能を有するＨＳＷ２４により、信号線４１の本数を信号線４８、４９および５０に比べて少なくすることができる。これにより、メインディスプレイ１３とサブディスプレイ２２とを接続するＦＰＣ３０の信号線３０ａの本数を少なくすることができるので、サブディスプレイ２２の画素２２４ａの数が多い場合にも、ＦＰＣ３０に形成される信号線３０ａ間の間隔が小さくなるのを抑制することができる。その結果、ＦＰＣ３０に信号線３０ａを形成するのが困難になるという不都合が発生するのを抑制することができる。
【００５０】
また、第１実施形態では、駆動ＩＣ１２から出力された画像信号Ｓ１〜Ｓ２４０を時分割により切り替えて信号線４１、４２および４３に供給するＨＳＷ１５を設けることによって、時分割機能を有するＨＳＷ１５により、駆動ＩＣ１２から出力された画像信号Ｓ１〜Ｓ２４０をメインディスプレイ１３に供給するための信号線４４の本数を少なくすることができる。
【００５１】
また、ＨＳＷ２４の時分割による分割後の画像信号Ｒ１〜Ｒ２４０、Ｇ１〜Ｇ２４０およびＢ１〜Ｂ２４０の数と、ＨＳＷ１５の時分割による分割後の画像信号Ｒ１〜Ｒ２４０、Ｇ１〜Ｇ２４０およびＢ１〜Ｂ２４０の数とが同じであることによって、ＨＳＷ１５および２４として同じスイッチ回路を用いることができるので、ＨＳＷ１５および２４を制御する方法を共通化することができる。これにより、ＨＳＷ１５および２４を制御する駆動ＩＣ１２の回路構成を簡単化することができる。
【００５２】
また、第１実施形態では、ＨＳＷ１５を制御するためのイネーブル信号ＲＥＮＢＭ、ＧＥＮＢＭおよびＢＥＮＢＭを駆動ＩＣ１２からＨＳＷ１５に供給するための３本の信号線４５、４６および４７と、ＨＳＷ２４を制御するためのイネーブル信号ＲＥＮＢＳ、ＧＥＮＢＳおよびＢＥＮＢＳを駆動ＩＣ１２からＨＳＷ２４に供給するための３本の信号線５２、５３および５４とを設けることによって、駆動ＩＣ１２により、容易に、ＨＳＷ１５および２４を制御することができる。
【００５３】
また、第１実施形態では、駆動ＩＣ１２およびメインディスプレイ１３が配置されるメイン基板１０を設けることによって、駆動ＩＣ１２からメインディスプレイ１３に各信号を供給するための信号線４４、４５、４６、４７、５５および５７を短くすることができるとともに、液晶表示装置の小型化を図ることができる。
【００５４】
（第２実施形態）
図５は、本発明の第２実施形態による液晶表示装置の構成を示した回路図である。図５を参照して、この第２実施形態では、上記第１実施形態と異なり、ＨＳＷ７４が画像信号Ｓ１〜Ｓ１２０を６つの画像信号Ｒ１１〜Ｒ１１２０、Ｇ１１〜Ｇ１１２０、Ｂ１１〜Ｂ１１２０、Ｒ２１〜Ｒ２１２０、Ｇ２１〜Ｇ２１２０およびＢ２１〜Ｂ２１２０に分割する液晶表示装置の構成について説明する。
【００５５】
この第２実施形態による液晶表示装置は、図５に示すように、メイン基板６０と、サブ基板７０とを備えている。なお、メイン基板６０およびサブ基板７０は、それぞれ、本発明の「第１基板」および「第２基板」の一例である。また、メイン基板６０とサブ基板７０とは、ＦＰＣ（フレキシブルプリント配線板）３０を介して電気的に接続されている。
【００５６】
メイン基板６０上には、メインディスプレイ１３と、Ｖスキャナ（垂直スキャナ）１４と、ＨＳＷ（水平スイッチ）１５と、ＣＯＭ１６と、駆動ＩＣ６２とが設けられている。また、駆動ＩＣ６２は、チップ・オン・グラス方式により、メイン基板６０に設けられている。なお、駆動ＩＣ６２は、本発明の「駆動回路」の一例である。
【００５７】
サブ基板７０上には、サブディスプレイ２２と、Ｖスキャナ（垂直スキャナ）２３と、サブディスプレイ２２の信号線４８、４９、５０、９０、９１および９２が接続されたＨＳＷ（水平スイッチ）７４と、ＣＯＭ２５とが設けられている。なお、ＨＳＷ７４は、本発明の「第１スイッチ回路」の一例である。また、信号線９０、９１および９２は、本発明の「第２信号線」の一例である。また、サブディスプレイ２２のドット２２ａは、ソース／ドレインの一方が信号線４８、４９、５０、９０、９１および９２に接続されるトランジスタ２２ｂを含んでいる。
【００５８】
ここで、第２実施形態では、サブ基板７０に設けられたＨＳＷ７４は、信号線５１から供給された信号を時分割により分割するとともに、その分割された信号を信号線４８、４９、５０、９０、９１および９２に切り替えて供給するために設けられている。また、ＨＳＷ７４は、信号線４８、４９、５０、９０、９１および９２がそれぞれ１２０本接続されているとともに、１２０個のスイッチ７４ａを有する。このスイッチ７４ａは、低温ポリシリコンからなる能動層を有するＴＦＴによって構成されたｎ型のトランジスタ２４ｂ〜２４ｇを含んでいる。また、トランジスタ２４ｂ〜２４ｇは、ソース／ドレインの一方がそれぞれ信号線４８、４９、５０、９０、９１および９２に接続されているとともに、ソース／ドレインの他方が信号線５１に接続されている。また、トランジスタ２４ｂ〜２４ｇのゲートには、それぞれ、信号線５２、５３、５４、９３、９４および９５が接続されている。また、スイッチ７４ａは、サブディスプレイ２２が駆動される場合に、トランジスタ２４ｂ〜２４ｇが順にオン状態になるとともに、メインディスプレイ１３が駆動される場合に、トランジスタ２４ｂ〜２４ｇが全てオフ状態になるように構成されている。なお、信号線９３、９４および９５は、本発明の「第４信号線」の一例である。
【００５９】
また、第２実施形態では、ＦＰＣ３０には、信号線４１と信号線５１とを接続するための信号線３０ａが１２０本形成されている。
【００６０】
また、第２実施形態では、メイン基板６０に設けられた駆動ＩＣ６２は、スタート信号ＳＴＶＭ、クロック信号ＣＫＶＭ、イネーブル信号ＶＥＮＢＭ、走査方向切替信号ＣＳＶＭ、スタート信号ＳＴＶＳ、クロック信号ＣＫＶＳ、イネーブル信号ＶＥＮＢＳ、走査方向切替信号ＣＳＶＳ、イネーブル信号ＲＥＮＢＭ、ＧＥＮＢＭ、ＢＥＮＢＭ、制御信号ＶＣＯＭＡＣＭおよびＶＣＯＭＡＣＳと、ＨＳＷ７４を制御するためのイネーブル信号ＲＥＮＢ１Ｓ、ＧＥＮＢ１Ｓ、ＢＥＮＢ１Ｓ、ＲＥＮＢ２Ｓ、ＧＥＮＢ２ＳおよびＢＥＮＢ２Ｓと、メインディスプレイ１３を制御するための画像信号Ｓ１〜Ｓ２４０またはサブディスプレイ２２を制御するための画像信号Ｓ１〜Ｓ１２０とを出力する機能を有する。なお、このサブディスプレイ２２を制御する画像信号Ｓ１〜Ｓ１２０は、画像信号Ｒ１１〜Ｒ１１２０、Ｇ１１〜Ｇ１１２０、Ｂ１１〜Ｂ１１２０、Ｒ２１〜Ｒ２１２０、Ｇ２１〜Ｇ２１２０およびＢ２１〜Ｂ２１２０を有するとともに、ＨＳＷ７４により時分割されることによって、画像信号Ｒ１１〜Ｒ１１２０、Ｇ１１〜Ｇ１１２０、Ｂ１１〜Ｂ１１２０、Ｒ２１〜Ｒ２１２０、Ｇ２１〜Ｇ２１２０およびＢ２１〜Ｂ２１２０がそれぞれ信号線４８、４９、５０、９０、９１および９２に供給されるように構成されている。
【００６１】
また、第２実施形態では、イネーブル信号ＲＥＮＢ１Ｓ、ＧＥＮＢ１Ｓ、ＢＥＮＢ１Ｓ、ＲＥＮＢ２Ｓ、ＧＥＮＢ２ＳおよびＢＥＮＢ２Ｓは、それぞれ、信号線５２、５３、５４、９３、９４および９５を介してＨＳＷ７４のトランジスタ２４ｂ〜２４ｇのゲートに供給されるように構成されている。具体的には、駆動ＩＣ６２は、サブディスプレイ２２を駆動する際に、Ｈレベルのイネーブル信号ＲＥＮＢ１Ｓ、ＧＥＮＢ１Ｓ、ＢＥＮＢ１Ｓ、ＲＥＮＢ２Ｓ、ＧＥＮＢ２ＳおよびＢＥＮＢ２Ｓを順に信号線５２、５３、５４、９３、９４および９５に供給することによって、トランジスタ２４ｂ〜２４ｇを順に１つずつオン状態にするように構成されている。また、駆動ＩＣ６２は、メインディスプレイ１３を駆動する際に、Ｌレベルのイネーブル信号ＲＥＮＢ１Ｓ、ＧＥＮＢ１Ｓ、ＢＥＮＢ１Ｓ、ＲＥＮＢ２Ｓ、ＧＥＮＢ２ＳおよびＢＥＮＢ２Ｓを信号線５２、５３、５４、９３、９４および９５に供給することによって、トランジスタ２４ｂ〜２４ｇを全てオフ状態にするように構成されている。
【００６２】
また、駆動ＩＣ６２は、信号線４８に接続されたドット２２１ａを駆動する場合に、信号線４４、トランジスタ１５ｂ、信号線４１、３０ａ、５１、トランジスタ２４ｂおよび信号線４８を介して、ドット２２１ａの画素電極２２ｃに赤色に対応する画像信号Ｒ１１〜Ｒ１１２０を供給し、信号線４９に接続されたドット２２２ａを駆動する場合に、信号線４４、トランジスタ１５ｂ、信号線４１、３０ａ、５１、トランジスタ２４ｃおよび信号線４９を介して、ドット２２２ａの画素電極２２ｃに緑色に対応する画像信号Ｇ１１〜Ｇ１１２０を供給し、信号線５０に接続されたドット２２３ａを駆動する場合に、信号線４４、トランジスタ１５ｂ、信号線４１、３０ａ、５１、トランジスタ２４ｄおよび信号線５０を介して、ドット２２３ａの画素電極１３ｃに青色に対応する画像信号Ｂ１１〜Ｂ１１２０を供給するように構成されている。
【００６３】
また、駆動ＩＣ６２は、信号線９０に接続されたドット２２１ａを駆動する場合に、信号線４４、トランジスタ１５ｂ、信号線４１、３０ａ、５１、トランジスタ２４ｅおよび信号線９０を介して、ドット２２１ａの画素電極２２ｃに赤色に対応する画像信号Ｒ２１〜Ｒ２１２０を供給し、信号線９１に接続されたドット２２２ａを駆動する場合に、信号線４４、トランジスタ１５ｂ、信号線４１、３０ａ、５１、トランジスタ２４ｆおよび信号線９１を介して、ドット２２２ａの画素電極２２ｃに緑色に対応する画像信号Ｇ２１〜Ｇ２１２０を供給し、信号線９２に接続されたドット２２３ａを駆動する場合に、信号線４４、トランジスタ１５ｂ、信号線４１、３０ａ、５１、トランジスタ２４ｇおよび信号線９２を介して、ドット２２３ａの画素電極１３ｃに青色に対応する画像信号Ｂ２１〜Ｂ２１２０を供給するように構成されている。
【００６４】
なお、第２実施形態の液晶表示装置の表示動作は上記第１実施形態と同様である。
【００６５】
第２実施形態では、上記のように、画像信号Ｓ１〜Ｓ１２０を６つの画像信号Ｒ１１〜Ｒ１１２０、Ｇ１１〜Ｇ１１２０、Ｂ１１〜Ｂ１１２０、Ｒ２１〜Ｒ２１２０、Ｇ２１〜Ｇ２１２０およびＢ２１〜Ｂ２１２０に分割するＨＳＷ７４を設けることによって、ＦＰＣ３０に形成される信号線３０ａの本数を１２０本にすることができるので、第１実施形態の１／２にすることができる。これにより、ＦＰＣ３０の信号線３０ａの本数が増加するのをより抑制することができる。
【００６６】
なお、第２実施形態のその他の効果は上記第１実施形態と同様である。
【００６７】
（第３実施形態）
図６は、本発明の第３実施形態による液晶表示装置の構成を示した回路図である。図６を参照して、この第３実施形態では、上記第１および第２実施形態と異なり、メイン基板１１０およびサブ基板１２０にＶスキャナが配置されない液晶表示装置の構成について説明する。
【００６８】
この第３実施形態による液晶表示装置は、図６に示すように、メイン基板１１０と、サブ基板１２０とを備えている。なお、メイン基板１１０およびサブ基板１２０は、それぞれ、本発明の「第１基板」および「第２基板」の一例である。また、メイン基板１１０とサブ基板１２０とは、ＦＰＣ（フレキシブルプリント配線板）３０を介して電気的に接続されている。
【００６９】
メイン基板１１０上には、駆動ＩＣ１１２と、ドット１１３ａがマトリクス状に配置されたメインディスプレイ１１３と、ＨＳＷ（水平スイッチ）１５と、ＣＯＭ１６とが設けられている。また、駆動ＩＣ１１２は、チップ・オン・グラス方式により、メイン基板１１０に設けられている。なお、メインディスプレイ１１３は、本発明の「第１表示部」の一例であり、駆動ＩＣ１１２は、本発明の「駆動回路」の一例である。
【００７０】
また、メインディスプレイ１１３の各ドット１１３ａは、ソース／ドレインの一方が信号線４１、４２または４３に接続されるとともに、ゲートがゲート線に接続されたｎ型のトランジスタ１１３ｂ、画素電極１３ｃ、対向電極１３ｄ、液晶１３ｅおよび補助容量１３ｆによって構成されている。また、トランジスタ１１３ｂのソース／ドレインの他方は、画素電極１３ｃと、補助容量１３ｆの一方の電極とに接続されている。このトランジスタ１１３ｂは、非晶質シリコン（アモルファスシリコン）からなる能動層を有するＴＦＴ（薄膜トランジスタ）によって構成されている。
【００７１】
また、ドット１１３ａのうち、カラーフィルタ（図示せず）により赤色（Ｒ）を発光可能に構成されたドット２１３ａと、カラーフィルタ（図示せず）により緑色（Ｇ）を発光可能に構成されたドット３１３ａと、カラーフィルタ（図示せず）により青色（Ｂ）を発光可能に構成されたドット４１３ａとにより１つの画素５１３ａが構成されている。また、ドット２１３ａ、３１３ａおよび４１３ａは、それぞれ、信号線４１、４２および４３に接続されている。なお、メインディスプレイ１１３には、３２０×２４０個の画素５１３ａが配置されている。これにより、駆動ＩＣ１１２には、３２０本のゲート線がそれぞれ信号線５９ａを介して接続されている。
【００７２】
サブ基板１２０上には、ドット１２２ａがマトリクス状に配置されたサブディスプレイ１２２と、ＨＳＷ（水平スイッチ）２４と、ＣＯＭ２５とを含んでいる。なお、サブディスプレイ１２２は、本発明の「第２表示部」の一例である。
【００７３】
また、サブディスプレイ１２２の各ドット１２２ａは、ソース／ドレインの一方が信号線４８、４９または５０に接続されるとともに、ゲートがゲート線に接続されたｎ型のトランジスタ１２２ｂ、画素電極２２ｃ、対向電極２２ｄ、液晶２２ｅおよび補助容量２２ｆによって構成されている。また、トランジスタ１２２ｂのソース／ドレインの他方は、画素電極２２ｃと、補助容量２２ｆの一方の電極とに接続されている。このトランジスタ１２２ｂは、非晶質シリコンからなる能動層を有するＴＦＴによって構成されている。
【００７４】
また、ドット１２２ａのうち、カラーフィルタ（図示せず）により赤色（Ｒ）を発光可能に構成されたドット３２２ａと、カラーフィルタ（図示せず）により緑色（Ｇ）を発光可能に構成されたドット４２２ａと、カラーフィルタ（図示せず）により青色（Ｂ）を発光可能に構成されたドット５２２ａとにより１つの画素６２２ａが構成されている。また、ドット３２２ａ、４２２ａおよび５２２ａは、それぞれ、信号線４８、４９および５０に接続されている。なお、サブディスプレイ１２２には、３２０×２４０個の画素６２２ａが配置されている。これにより、駆動ＩＣ１１２には、３２０本のゲート線がそれぞれ信号線５９ｂを介して接続されている。
【００７５】
また、第３実施形態では、メイン基板１１０に設けられた駆動ＩＣ１１２は、メインディスプレイ１１３のゲート線を制御するための制御信号ＧＡＴＥＭと、サブディスプレイ１２２のゲート線を制御するための制御信号ＧＡＴＥＳと、イネーブル信号ＲＥＮＢＭ、ＧＥＮＢＭ、ＢＥＮＢＭ、ＲＥＮＢＳ、ＧＥＮＢＳ、ＢＥＮＢＳ、制御信号ＶＣＯＭＡＣＭ、ＶＣＯＭＡＣＳおよび画像信号Ｓ１〜Ｓ２４０とを出力する機能を有する。
【００７６】
また、第３実施形態では、駆動ＩＣ１１２は、メインディスプレイ１１３を駆動する際に、Ｈレベルの制御信号ＧＡＴＥＭをメインディスプレイ１１３のゲート線に順に供給するとともに、サブディスプレイ１２２を駆動する際に、Ｈレベルの制御信号ＧＡＴＥＳをサブディスプレイ１２２のゲート線に順に供給するように構成されている。なお、図６では、簡略化のため、制御信号ＧＡＴＥＭ用の信号線として、メインディスプレイ１１３の各ゲート線が接続される１本の信号線５９ａのみを示したが、実際には、メインディスプレイ１１３の３２０本の各ゲート線がそれぞれ接続される３２０本の信号線５９ａが設けられている。同様に、図６では、制御信号ＧＡＴＥＳ用の信号線として、サブディスプレイ１２２の各ゲート線が接続される１本の信号線５９ｂのみを示したが、実際には、サブディスプレイ１２２の３２０本の各ゲート線がそれぞれ接続される３２０本の信号線５９ｂが設けられている。
【００７７】
図７は、本発明の第３実施形態による液晶表示装置の表示動作について説明するための図である。次に、図６および図７を参照して、本発明の第３実施形態による液晶表示装置の表示動作について説明する。
【００７８】
まず、メインディスプレイ１１３のみを表示させる場合には、図６に示すように、上記第１実施形態と同様に、サブディスプレイ１２２のドット１２２ａには、画像信号Ｓ１〜Ｓ２４０が供給されない。また、サブディスプレイ１２２のゲート線にＨレベルの制御信号ＧＡＴＥＳが供給されないので、サブディスプレイ１２２のゲート線は駆動しない。
【００７９】
そして、Ｈレベルの制御信号ＧＡＴＥＭがメインディスプレイ１１３のゲート線に順に供給されているので、メインディスプレイ１１３のゲート線が順に駆動される。また、上記第１実施形態と同様に、ＨＳＷ１５のトランジスタ１５ｂ、１５ｃおよび１５ｄが順にオン状態になるので、ドット２１３ａ、３１３ａおよび４１３ａに書き込みが行われる。
【００８０】
次に、サブディスプレイ１２２のみを表示させる場合には、上記第１実施形態と同様に、ＨＳＷ１５のトランジスタ１５ｂがオン状態になるとともに、トランジスタ１５ｃおよび１５ｄがオフ状態になる。これにより、信号線４４、トランジスタ１５ｂ、信号線４１、３０ａおよび５１を介してＨＳＷ２４に画像信号Ｓ１〜Ｓ２４０が供給される。また、メインディスプレイ１１３にＨレベルの制御信号ＧＡＴＥＭが供給されないので、メインディスプレイ１１３のゲート線は駆動しない。
【００８１】
そして、Ｈレベルの制御信号ＧＡＴＥＳがサブディスプレイ１２２のゲート線に順に供給されるので、サブディスプレイ１２２のゲート線が順に駆動される。また、上記第１実施形態と同様に、ＨＳＷ２４のトランジスタ２４ｂ、２４ｃおよび２４ｄが順にオン状態になるので、ドット３２２ａ、４２２ａおよび５２２ａに書き込みが行われる。
【００８２】
また、メインディスプレイ１１３およびサブディスプレイ１２２の両方を表示させる場合には、図６および図７に示すように、上記したメインディスプレイ１１３のみを表示させる動作と、サブディスプレイ１２２のみを表示させる動作とが交互に繰り返し行われる。この場合、メインディスプレイ１１３に対する書き込みと、サブディスプレイ１２２に対する書き込みとを１／１２０秒毎に交互に繰り返すようにすれば、メインディスプレイ１１３およびサブディスプレイ１２２が共に常時表示されているように使用者に認識させることが可能である。
【００８３】
第３実施形態では、上記のように、メインディスプレイ１１３のゲート線を制御する制御信号ＧＡＴＥＭと、サブディスプレイ１２２のゲート線を制御する制御信号ＧＡＴＥＳとを出力する駆動ＩＣ１１２を設けることによって、基板にゲート線を駆動するためのＶスキャナを設ける場合と異なり、メイン基板１１０およびサブ基板１２０の構成が複雑化するのを抑制することができる。
【００８４】
なお、第３実施形態のその他の効果は上記第１実施形態と同様である。
【００８５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８６】
たとえば、上記第１〜第３実施形態では、メインディスプレイの画素数と、サブディスプレイの画素数とが同じ例を示したが、本発明はこれに限らず、メインディスプレイの画素数と、サブディスプレイの画素数とが異なるようにしてもよい。
【００８７】
また、上記第１〜第３実施形態では、表示装置の一例として液晶表示装置を示したが、本発明はこれに限らず、複数の表示部を備える表示装置であれば、有機ＥＬ表示装置などのその他の表示装置にも本発明を適用可能である。
【００８８】
また、上記第１および第２実施形態では、低温ポリシリコンからなるＴＦＴを設ける例を示したが、本発明はこれに限らず、低温ポリシリコン以外のアモルファスシリコンまたは高温ポリシリコンなどからなるＴＦＴを設けるようにしてもよい。同様に、上記第３実施形態では、アモルファスシリコンからなるＴＦＴを設ける例を示したが、本発明はこれに限らず、アモルファスシリコン以外の低温ポリシリコンまたは高温ポリシリコンなどからなるＴＦＴを設けるようにしてもよい。
【００８９】
また、上記第１〜第３実施形態では、チップ・オン・グラス方式により、駆動ＩＣをメイン基板に設ける例を示したが、本発明はこれに限らず、システム・オン・グラス方式により、駆動ＩＣをメイン基板に設けるようにしてもよい。また、テープ・キャリア・パッケージ方式により、駆動ＩＣをＦＰＣに設けるようにしてもよい。
【００９０】
また、上記第１〜第３実施形態では、信号線４１をＦＰＣ３０の信号線３０ａと接続することによって、駆動ＩＣから出力された画像信号を信号線４１を介してサブディスプレイに供給する例を示したが、本発明はこれに限らず、信号線４２または４３をＦＰＣ３０の信号線３０ａと接続することによって、駆動ＩＣから出力された画像信号を信号線４２または４３を介してサブディスプレイに供給するようにしてもよい。
【００９１】
また、上記第１および第３実施形態では、画像信号Ｓ１〜Ｓ２４０を画像信号Ｒ１〜Ｒ２４０、Ｇ１〜Ｇ２４０およびＢ１〜Ｂ２４０の３つに時分割する例を示したが、本発明はこれに限らず、画像信号を２つ、または、４つ以上に時分割するようにしてもよい。
【００９２】
また、上記第１〜第３実施形態では、駆動ＩＣから出力される信号を時分割により切り替えてメインディスプレイに供給するＨＳＷを設ける例を示したが、本発明はこれに限らず、メインディスプレイ用のＨＳＷを設けずに、駆動ＩＣから出力される信号を時分割することなくメインディスプレイに直接供給するようにしてもよい。
【００９３】
また、上記第１〜第３実施形態では、３端子素子のトランジスタを有するドットをメインディスプレイおよびサブディスプレイに形成する例を示したが、本発明はこれに限らず、２端子素子のダイオードを有するドットをメインディスプレイおよびサブディスプレイに形成するようにしてもよい。
【図面の簡単な説明】
【００９４】
【図１】本発明の第１実施形態による液晶表示装置の構成を示した回路図である。
【図２】本発明の第１実施形態による液晶表示装置の表示動作について説明するための図である。
【図３】本発明の第１実施形態による液晶表示装置の表示動作について説明するための図である。
【図４】本発明の第１実施形態による液晶表示装置の表示動作について説明するための図である。
【図５】本発明の第２実施形態による液晶表示装置の構成を示した回路図である。
【図６】本発明の第３実施形態による液晶表示装置の構成を示した回路図である。
【図７】本発明の第３実施形態による液晶表示装置の表示動作について説明するための図である。
【符号の説明】
【００９５】
１０、６０、１１０  メイン基板（第１基板）
１２、６２、１１２  駆動ＩＣ（駆動回路）
１３、１１３  メインディスプレイ（第１表示部）
１５  ＨＳＷ（第２スイッチ回路）
２０、７０、１２０  サブ基板（第２基板）
２２、１２２  サブディスプレイ（第２表示部）
２４、７４  ＨＳＷ（第１スイッチ回路）
３０  ＦＰＣ（配線基板）
３０ａ  信号線（第３信号線）
４１、４２、４３  信号線（第１信号線）
４５、４６、４７  信号線（第５信号線）
４８、４９、５０、９０、９１、９２  信号線（第２信号線）
５２、５３、５４、９３、９４、９５  信号線（第４信号線）
【図１】
2008116519.tif 000003
【図２】
2008116519.tif 000004
【図３】
2008116519.tif 000005
【図４】
2008116519.tif 000006
【図５】
2008116519.tif 000007
【図６】
2008116519.tif 000008
【図７】
2008116519.tif 000009